(57)【特許請求の範囲】
【請求項１】
ネスティング構造を有する台車フレームと、該台車フレームの前端部の底面に取付られた自在キャスターと、該台車フレームのほぼ中間部底面に取り付けられた固定キャスターと、該台車フレームの後端部の両端部に取り付けられた筒状のシリンダー部と、該シリンダー部間に差し渡し状に配設される水平支持棒と、該水平支持棒に回動可能に取り付けられた台板と、該シリンダー部に対し下方開口から上下方向に摺動可能に挿入されるピストン部を上面に有し、後端部の自在キャスターを下面に有する自在キャスター支持板とを備え、該台板には、その後端部にクランク状の金属板を形成し、該自在キャスター支持板には、水平部材を取り付けたストックカートにおいて、該台板を該水平支持棒を中心として上方に回動させ、該台板のクランク状の金属板と該自在キャスター支持板の水平部材との当接により、該水平支持棒を持ち上げると共に、該水平支持棒と一体の該固体キャスターと台車フレームの一体物を持ち上げ、固定キャスターの下端で形成される面を自在キャスターの下端で形成される面より上方とし、四輪の自在キャスターの作動によりネスティングを行うことを特徴とするストックカート。
【請求項２】
ネスティング構造を有する台車フレームと、該台車フレームの前端部の底面に取付られた自在キャスターと、該台車フレームのほぼ中間部底面に取り付けられた固定キャスターと、該台車フレームの後端部の両端部に取り付けられた筒状のシリンダー部と、該シリンダー部間に差し渡し状に配設される水平支持棒と、該水平支持棒に回動可能に取り付けられた台板と、該シリンダー部に対し下方開口から上下方向に摺動可能に挿入されるピストン部を上面に有し、後端部の自在キャスターを下面に有する自在キャスター支持板とを備え、該台板は、その後端部の上方角より４５度上方に突出する突状部に形成された長穴を有したものであり、該自在キャスター支持板には、該長穴に挿通する水平部材を取り付けたストックカートにおいて、該台板を該水平支持棒を中心として上方に回動させ、該台板の該突状部に形成された長穴と該自在キャスター支持板の水平部材との当接により、該水平支持棒を持ち上げると共に、該水平支持棒と一体の該固体キャスターと台車フレームの一体物を持ち上げ、固定キャスターの下端で形成される面を自在キャスターの下端で形成される面より上方とし、四輪の自在キャスターの作動によりネスティングを行うことを特徴とするストックカート。
【発明の詳細な説明】
【０００１】
【発明の属する技術分野】
本発明はダンボール箱等に収納された商品の運搬や商品の保管収納等に使用され、ネスティング効率の高いストックカートに関する。
【０００２】
【従来の技術】
従来のストックカートは図９（ａ）及び（ｂ）に示すように、略四角枠形状又は略Ｍ字型枠形状の台車フレームの四隅部の底面に自在キャスター２０を取り付けるとともに、ほぼ中央両側部の底面に固定キャスター３０が取り付けられた台車と、この台車の前後部に脱着可能に取り付けられた一対の可動棚枠とで構成されている（図では省略）。この台車を収納保管するためネスティング状態にするには固定キャスターの一方向性から長手方向でネスティングを行っていた。
【０００３】
【発明が解決しようとする課題】
しかしながら、かかるネスティングの場合、長手方向にスペースが広く必要とされるため、空間の有効利用と言う点で問題があった。
【０００４】
従って、本発明の目的は、短手方向にネスティングが可能なストックカートを提供することにある。
【０００５】
【課題を解決するための手段】
かかる実情において、本発明者は鋭意検討を行った結果、本発明を完成するに至った。すなわち本発明は、ネスティング構造を有する台車フレームと、該台車フレームの前端部の底面に取付られた自在キャスターと、該台車フレームのほぼ中間部底面に取り付けられた固定キャスターと、該台車フレームの後端部の両端部に取り付けられた筒状のシリンダー部と、該シリンダー部間に差し渡し状に配設される水平支持棒と、該水平支持棒に回動可能に取り付けられた台板と、該シリンダー部に対し下方開口から上下方向に摺動可能に挿入されるピストン部を上面に有し、後端部の自在キャスターを下面に有する自在キャスター支持板とを備え、該台板には、その後端部にクランク状の金属板を形成し、該自在キャスター支持板には、水平部材を取り付けたストックカートにおいて、該台板を該水平支持棒を中心として上方に回動させ、該台板のクランク状の金属板と該自在キャスター支持板の水平部材との当接により、該水平支持棒を持ち上げると共に、該水平支持棒と一体の該固体キャスターと台車フレームの一体物を持ち上げ、固定キャスターの下端で形成される面を自在キャスターの下端で形成される面より上方とし、四輪の自在キャスターの作動によりネスティングを行うことを特徴とするストックカートを提供するものである。これにより、ストックカートを使用する場合は、台板を倒しこれに荷物を乗せて移動させれば、固定キャスターを中心にシーソ型の動きが出来、方向変換等が自由に行える。また、収納する場合、すなわちネスティングする場合は、台板を起こせば固定キャスターは作動不能のため四輪の自在キャスターのみの走行となり、自由方向に移動でき、短手方向でのネスティングが可能となる。このため、スペースの有効利用を図ることができる。また、本発明は前記台車フレームが、Ｚ字状又は逆Ｚ字状に形成されたストックカート、更に、前記台車フレームの少なくとも後端部に脱着可能又は固定的に取り付けられた側枠を備えるストックカートを提供するものである。
また、本発明は、ネスティング構造を有する台車フレームと、該台車フレームの前端部の底面に取付られた自在キャスターと、該台車フレームのほぼ中間部底面に取り付けられた固定キャスターと、該台車フレームの後端部の両端部に取り付けられた筒状のシリンダー部と、該シリンダー部間に差し渡し状に配設される水平支持棒と、該水平支持棒に回動可能に取り付けられた台板と、該シリンダー部に対し下方開口から上下方向に摺動可能に挿入されるピストン部を上面に有し、後端部の自在キャスターを下面に有する自在キャスター支持板とを備え、該台板は、その後端部の上方角より４５度上方に突出する突状部に形成された長穴を有したものであり、該自在キャスター支持板には、該長穴に挿通する水平部材を取り付けたストックカートにおいて、該台板を該水平支持棒を中心として上方に回動させ、該台板の該突状部に形成された長穴と該自在キャスター支持板の水平部材との当接により、該水平支持棒を持ち上げると共に、該水平支持棒と一体の該固体キャスターと台車フレームの一体物を持ち上げ、固定キャスターの下端で形成される面を自在キャスターの下端で形成される面より上方とし、四輪の自在キャスターの作動によりネスティングを行うことを特徴とするストックカートを提供するものである。
【０００６】
【発明の実施の形態】
以下、本発明の参考となる実施の形態について、図１〜図８を参照して説明する。図１は本発明のストックカートの斜視図、図２は図１の後端部の拡大図、図３は主要部を分解して示した図、図４は図１の台板を起こした状態を示す斜視図、図５は図４の後端部の拡大図、図６の（ａ）は図２におけるＡ−Ａ線に沿って見た図、（ｂ）は図５におけるＢ−Ｂ線に沿って見た図、図７は台板を倒した状態の側面図、図８は台板を起こした状態の側面図を示す。図１〜図８において、ストックカート１０はキャスター付き台車フレーム１、一対の側面枠５及び台板４を備える。
【０００７】
図３に示すように、台車フレーム１は、所定間隔離して平行に配置した前端部の部材１０１、両端に筒状四角柱のシリンダー部５１ａ、５１ｂを備える支持棒５２と、該前端部の部材１０１及び後端部の支持棒５１の対角線上に位置する端部間を一体的に連結する連結部材２０２とによりＺ字状に成形されている。この台車フレーム１の前端部の部材１０１の底面には自在キャスター２、２が取り付けられ、また、シリンダー部５１ａ、５１ｂの底面には自在キャスター部２Ａのピストン部２３、２３が上下方向に摺動可能に挿入されている。連結部材２０２の中央底面には固定キャスター支持板７及び固定キャスター高さ調整板７１を介して固定キャスター３、３が取り付けられている。更に、部材１０１の端部に両端を固着することにより形成された側面枠５ｂが、シリンダー部５１の外側に両端部を固着することにより形成された側面枠５ａが設けられている。
【０００８】
台板４は前記支持棒５２に回動可能に枢支される回動当接部４２、矩形状の台板本体４１及び台板高さ調整板４９とからなる。また、回動当接部４２は支持棒枢支溝４２１と断面が四角形又は長方形の台板係止端部４２２とからなり、台板４の回動の際、シリンダー部５１との当たりを避けるため隅を切り欠いた形状となっている。
【０００９】
前記台車フレームの後端部の底面に位置する自在キャスター２Ａは、自在キャスター２、２、これの固定部２２、２２間を固定連結する中央部が一定の高さを有する自在キャスター支持板２２１及び上面に摺動部２３１を備える一対のピストン部２３、２３とからなる。自在キャスター２、２とピストン部２３、２３の結合は自在キャスター２、２の上部の雄ネジとピストン部２３の内側に形成された雌ネジの螺合による。このように形成された自在キャスター２Ａのピストン部２３、２３を前記一対のシリンダー部５１ａ、５１ｂの下側から挿入してストックカートを形成する。
【００１０】
上記のように構成された実施の形態例のストックカート１０において、これを使用する場合は、まず、後端部に位置する支持棒５２を中心に回動する台板４を倒しフレーム１上に乗せる。台板４は台板高さ調整板４９が固定キャスター支持板７に当接することにより地面に平行で安定状態となる。また、図６（ａ）に示すように台板４の後端部は、自在キャスター支持板２２１の上面と台板の後方側裏面４５と当接している。
【００１１】
このように形成されたストックカート１０は、図１及び図７に示すように六輪車となり、中央の固定キャスター３を中心にシーソ型の動きが出来、方向転換等が自由に行える。台板４は台車フレーム１上に単に乗せるだけでもよいし、固定具で固定しても良い。また、自在キャスター２及び固定キャスター３の接地面Ｘ−Ｘは同一面であっても、固定キャスター３の接地面が自在キャスター２の接地面より下方側であってもいずれの場合でもよい。
【００１２】
次に、これをネスティングするには、台板４を上方に回動して起こし、後部寄りに形成された側面枠５ａに図では省略するが、例えば鎖や紐で固定する。
【００１３】
図５、図６（ａ）及び（ｂ）に示すように、支持棒５２の中心と台板の裏面との距離ａより支持棒５２の中心と端面との距離ｂのほうを長くしたこと及びシリンダー部５１ａ、５１ｂ内を自在キャスターのピストン部２３ａ、２３ｂが上下方向に摺動可能としたため、台板４を起こすことにより、支持棒５２が上方に持ち上がる。すなわち、固定キャスター３、側面枠５及び台車フレーム１の一体的に固定された部材が使用時の状態に比べ、Ｈの長さの分持ち上がるため図８に示すように、固定キャスター３の下端で形成される面が自在キャスター２の下端で形成される面より上方に位置する。この場合、側面枠５ａ、５ｂ及び台車フレームで形成された枠体は若干右（前端部）側に傾斜した状態となる。
【００１４】
かかるネスティングカートは、固定キャスター３が作動不能状態となり、四輪の自在キャスターのみで走行するため、自由方向に移動でき、短手方向でのネスティングが可能となる。このため、スペースの有効利用を図ることができる。
【００１５】
また、本発明において、台車フレームはネスティング構造を有していれば前記Ｚ字状に限定されず、逆Ｚ字状等のものが使用できる。
【００１６】
また、本発明において、台板の回動当接部と自在キャスター支持板は、台板を上方に回動することにより固定キャスター及び台車フレームの一体部を持ち上げる作用（自在キャスター部から見れば、下がる作用）を有するものであれば、特に制限されず、例えば、図９に示すように台板４上に形成されるクランク状の金属板４７と自在キャスター支持板に取り付けられた部材２２５との当接による方法、図１０に示すように、台板４の角より４５度上方に突出する突状部４８に形成された長穴４９と自在キャスター支持板に取り付けられた部材２２５との当接による方法等が挙げられる。いずれも、台板４を倒した状態（図中（ａ））から、台板４を起こした状態（図中（ｂ））と比べると、Ｈの長さ分台車フレームが持ち上げられている。
【００１７】
【発明の効果】
以上の説明から明らかなように、本発明によればネスティング構造を有する台車フレームの中央底面に固定キャスターを取付けたこと、台板を起こせば、固定キャスターの下端で形成される面を自在キャスターの下端で形成される面より上方となるようにしたため、ネスティングの際には、自在キャスターのみの走行で短手方向に移動できるため、ネスティング効率が上がり、スペースの有効利用が可能となる。
【図面の簡単な説明】
【図１】本発明のストックカートの全体構成を示す斜視図である。
【図２】図１の後端部の拡大図である。
【図３】本発明のストックカートの主要構成部品を分解した状態を示す図である。
【図４】台板を起こした状態の全体構成を示す斜視図である。
【図５】図４の後方部の拡大図である。
【図６】台板の回動当接部と自在キャスター支持板との当接状態を示す図である。
【図７】台板を倒した状態のストックカートの側面図である。
【図８】台板を起こした状態のストックカートの側面図である。
【図９】台板の回動当接部と自在キャスター支持板との他の形態の当接状態を示す図である。
【図１０】台板の回動当接部と自在キャスター支持板との他の形態の当接状態を示す図である。
【図１１】従来のストックカートのネスティング状態を示す図である。
【符号の説明】
１        台車フレーム
２、２０  自在キャスター
２Ａ      自在キャスター部
３、３０  固定変換キャスター
４        台板
５        側面枠
７        固定キャスター支持板
１０      ストックカート
２２１    自在キャスター支持板
２３      ピストン部
２３１    摺動部
４１      台板本体
４２      回動当接部
４２１    支持棒枢支溝
４２２    台板係止端部
【図１】
0003874476.tif 000002
【図２】
0003874476.tif 000003
【図３】
0003874476.tif 000004
【図４】
0003874476.tif 000005
【図５】
0003874476.tif 000006
【図６】
0003874476.tif 000007
【図７】
0003874476.tif 000008
【図８】
0003874476.tif 000009
【図９】
0003874476.tif 000010
【図１０】
0003874476.tif 000011
【図１１】
0003874476.tif 000012